(57)【要約】      （修正有）【課題】靴を履いたまま、誰でも簡単に乗れるようにした竹馬を提供する。【解決手段】竹を縦に割り、その約１／３の湾曲部３の強度を利用したポールと節８を利用した足乗せ台２、荷重強度を高めるためＲのついた足乗せ下部台４、さらに足乗せ台２の上部にゴムバンドを取り付けることの出来る一部広い湾曲部を設け、ゴムバンド６を介して竹馬を足で持ち上げることが出来る。竹の湾曲部をポール１としているので体の重心がよりポールの前面端部に近付くため、乗り易く、安定し、靴を履いたまま乗ることが出来、ポール上部中央に指先を入れてポールを握るための縦に伸びるスリット型の穴７を設けた。【選択図】図３
0003163346.tif 000002
【実用新案登録請求の範囲】
【請求項１】
竹の湾曲部の強度を利用したポールと節を利用した足乗せ台を備えたことを特徴とする竹馬。
【請求項２】
足乗せ台の上部にゴムバンドを取り付ける事の出来る一部広い湾曲部を設け、ゴムバンドを介して竹馬を足で持ち上げることが出来る作りとしたことを特徴とする請求項１記載の竹馬。
【請求項３】
中央に指先を入れてポールを握るための縦に伸びるスリッット型の穴を設けたことを特徴とする
請求項１又は請求項２記載の竹馬。
【考案の詳細な説明】
【技術分野】
【０００１】
本考案は簡単に乗れる竹馬の改良に関するものである。
【背景技術】
【０００２】
竹馬は昔から子供たちの遊び道具として親しまれている。昔の手作りの竹馬は竹をポールにして木材
で作成した三角形状の足乗せ台をポールの中間に針金などで固定し制作していた。
最近では、手作りの竹馬の代わり図７に示すようにポール20を金属パイプで形成し、足乗せ台21をサンダル状のプラスチックスで形成し、図8に示すように足乗せ台の先端側に開孔した貫通孔22に、
プラスチックで形成したリング状のクサビ23を介してポール20を上下に貫通させて固定した構造の
竹馬が市販されている。しかしながら、従来の竹馬は作りにくくコストがかかる。また足の位置がポールの中心から遠いので重心があわせにくく、裸足で指の股にポールを挟むようにして乗るようにしていた為、乗りにくかった。
【先行技術文献】
【特許文献】
【０００３】
【特許文献１】特開２００２−４５４３８号公報
【考案の概要】
【考案が解決しようとする課題】
【０００４】
本考案は上記問題点を改善し、靴を履いたまま誰でも簡単に乗れるようにした竹馬を提供することを目的とする。
【課題を解決するための手段】
【０００５】
本考案の請求項１記載の竹馬は、竹の湾曲部の強度を利用したポールと節を利用した足乗せ台を特徴とするものである。
【０００６】
本考案の請求項２記載の竹馬は、足乗せ台の上部にゴムバンドを取り付ける事の出来る一部広い湾曲部を設け、ゴムバンドを介して竹馬を足で持ち上げることが出来る作りとしている。
【０００７】
本考案の請求項３記載の竹馬は、中央に指先を入れてポールを握るための縦に伸びるスリット型の穴を設けたことを特徴とするものである。
【考案の効果】
【０００８】
上述の様に、ポールと竹の節の足乗せ台が一体になっており一本の竹から簡単に安価に竹馬を作ることができる、竹の湾曲を利用しているため体の重心がよりポールの重心に近づくため、安定し、靴を履いたまま、誰でも簡単に乗り易くなった、更に足乗せ台の上部にゴムバンドを取り付け、ゴムバンドを介して足自身で竹馬を持ち上げることが出来るので、なお一層簡単に乗れるようになる。
【図面の簡単な説明】
【０００９】
【図１】本考案の実施の一形態による竹馬の側面図である。
【図２】図１の竹馬を示す正面図である。
【図３】図１の竹馬を示す斜視図である。
【図４】本考案の竹馬に乗っている足位置状態を示す平面図である。
【図５】本考案の竹馬に乗っている状態を示す側面図である。
【図６】本考案の足装着時の要部図である。
【図７】従来の竹馬に乗っている状態を示す側面図である。
【図８】従来の竹馬に乗っている足位置状態を示す平面図である。
【考案を実施するための形態】
【００１０】
以下、本考案の実施の形態を図１ないし図６を参照して詳細に説明する。図１において10は竹馬を示すもので、断面湾曲状の割竹部をポール１とし、足乗せ台２、そして下部４を一本の竹から一体化して作られている。
【００１１】
足乗せ台下部４は、図１に示すようにRが付いており荷重強度を高めている。
【００１２】
図３に示すように足乗せ台上部を広くしてゴムバンドが上に抜けない様に突起５を設け、図４に示すようにゴムバンド６を巻きつけることの出来るつくりなので初心者が足を上げることによって竹馬も地面から離れ、一歩前へ進み易くする。従来の手で竹馬を持ち上げ、同時に足を動かす難しい動作から解放され、倒れそうになったときでも足がゴムバンドから簡単に外れ、安全上問題なく、慣れればゴムバンドを外すことが出来る。
【００１３】
ポール上部には、図１及び図３に示すように、指先を入れてポールを握るための縦に伸びるスリット型の穴７を設ける。
【００１４】
図４は足乗せ台の足位置を上から見た図です。図６は足乗せ台に足を装着した斜視図です。
両図でわかるように、足の重心は丸い竹棒のポールよりも竹の湾曲先端側に位置するので乗り易く又、安定する。
【実施例】
【００１５】
以下、添付図面に従って、実施例を説明する。本竹馬は、竹材、又は耐久性のプラスチック等、適宣
素材にてポール１、足乗せ台２、及び下部４を一体化したもので竹等を縦に割った断面湾曲状の割竹部約１/３をポールとして竹馬の強度を維持する。足乗せ台の上部ポールを広くし突起５を設け初心者でも竹馬を足を補助にして持ち上げて前へ進むことが容易になる様にする。（従来は手だけで竹馬を持ち上げて進まなければならなかった）ポール上部にはスリット型の穴７を設け握り易くする。
【００１６】
足乗せ台２の他の節８は切り取り滑らかに加工する。
【符号の説明】
【００１７】
１  ポール
２  足乗せ台
３  湾曲部
４  足乗せ台下部
５  突起
６  ゴムバンド
７  スリット型の穴
８  節
【図１】
0003163346.tif 000003
【図２】
0003163346.tif 000004
【図３】
0003163346.tif 000005
【図４】
0003163346.tif 000006
【図５】
0003163346.tif 000007
【図６】
0003163346.tif 000008
【図７】
0003163346.tif 000009
【図８】
0003163346.tif 000010
【手続補正書】
【提出日】平成22年4月21日(2010.4.21)
【手続補正１】
【補正対象書類名】実用新案登録請求の範囲
【補正対象項目名】全文
【補正方法】変更
【補正の内容】
【実用新案登録請求の範囲】
【請求項１】
１本の竹を縦割りした断面湾曲状をなす、割竹部分から構成されるポールと、前記竹の割竹部分から下方に続く節から構成される足乗せ台とを備えたことを特徴とする竹馬。
【請求項２】
足乗せ台の上部のポールに幅広の湾曲部を設け、前記幅広の湾曲部にゴムバンドを取り付けたことを特徴とする請求項１記載の竹馬。
【請求項３】
ポール上部の中央に指先を入れてポールを握るための縦に伸びるスリット形の穴を設けたことを特徴とする請求項１又は請求項２記載の竹馬。
【手続補正２】
【補正対象書類名】明細書
【補正対象項目名】０００５
【補正方法】変更
【補正の内容】
【０００５】  本考案の請求項１記載の竹馬は、１本の竹を縦割りした断面湾曲状をなす、割竹部分から構成されるポールと、前記竹の割竹部分から下方に続く節から構成される足乗せ台とを備えたことを特徴とするものである。
【手続補正３】
【補正対象書類名】明細書
【補正対象項目名】０００６
【補正方法】変更
【補正の内容】
【０００６】  本考案の請求項２記載の竹馬は、足乗せ台の上部のポールに幅広の湾曲部を設け、前記幅広の湾曲部にゴムバンドを取り付けたことを特徴とするものである。これにより、ゴムバンドを介して竹馬を足で持ち上げることが出来る作りとしている。
【手続補正４】
【補正対象書類名】明細書
【補正対象項目名】０００８
【補正方法】変更
【補正の内容】
【０００８】本考案によれば、ポールと竹の節の足乗せ台が一体になっており一本の竹から簡単に安価に竹馬を作ることができる。竹の湾曲を利用しているため体の重心がよりポールの重心に近づくため、安定し、靴を履いたまま、誰でも簡単に乗り易くなった。更に足乗せ台の上部にゴムバンドを取り付け、ゴムバンドを介して足自身で竹馬を持ち上げることが出来るので、なお一層簡単に乗れるようになる。
【手続補正５】
【補正対象書類名】明細書
【補正対象項目名】００１０
【補正方法】変更
【補正の内容】
【００１０】  以下、本考案の実施の形態を図１ないし図６を参照して詳細に説明する。図１において１０は竹馬を示すもので、竹馬１０は、１本の竹を途中の節の縦割りした断面湾曲状をなす、割竹部分から構成されるポール１と、前記竹の割竹部分から下方に続く節から構成される足乗せ台２を一体に備えた構成とされている。